(57)【要約】【課題】多数の商品から構成される商品群の中からユーザが所望する柄を有する商品を効率的且つ簡便に検索することができる商品検索装置、商品検索方法、及び商品検索システムを提供することである。【解決手段】  商品検索装置１０は、検索条件を受け付ける検索条件受付部４２と、商品の柄属性に関する検索条件に基づいて商品絞り込み検索を行う柄属性検索部５０と、商品の柄特徴に関する検索条件に基づいて商品絞り込み検索を行う柄特徴検索部５２と、商品画像を含む第１の絞り込み検索結果に関するデータを生成する第１の検索結果データ生成部５８と、商品画像を含む第２の絞り込み検索結果に関するデータを生成する第２の検索結果データ生成部６０と、第１の検索結果データ生成部により生成した第１の絞り込み検索結果に関するデータと第２の絞り込み検索結果に関するデータとをユーザ端末に出力する検索結果出力部６１と、を備える。【選択図】図３
2016091522.tif 000002
【特許請求の範囲】
【請求項１】
ユーザ端末にネットワークを介して接続され、商品の柄に基づいて商品群の中から商品を検索する商品検索装置であって、
前記ユーザ端末から商品の柄属性に関する検索条件及び商品の柄特徴に関する検索条件を受け付ける検索条件受付部と、
前記検索条件受付部により受け付けた前記商品の柄属性に関する検索条件に基づいて商品絞り込み検索を行う柄属性検索部と、
前記検索条件受付部により受け付けた前記商品の柄特徴に関する検索条件に基づいて商品絞り込み検索を行う柄特徴検索部と、
前記柄属性検索部及び前記柄特徴検索部のうち一方により行われる第１の絞り込み検索の結果に基づいて、前記ユーザ端末の表示部に表示される商品画像を含む第１の絞り込み検索結果に関するデータを生成する第１の検索結果データ生成部と、
前記柄属性検索部及び前記柄特徴検索部のうち他方により行われ、前記第１の絞り込み検索の結果に対しての第２の絞り込み検索の結果に基づいて、前記ユーザ端末の前記表示部に表示される商品画像を含む第２の絞り込み検索結果に関するデータを生成する第２の検索結果データ生成部と、
前記第１の検索結果データ生成部により生成した前記第１の絞り込み検索結果に関するデータと前記第２の絞り込み検索結果に関するデータとを前記ユーザ端末に出力する検索結果出力部と、
を備える商品検索装置。
【請求項２】
前記第１の絞り込み検索は、前記柄属性検索部により行われ、
前記第２の絞り込み検索は、前記柄特徴検索部により行われる請求項１に記載の商品検索装置。
【請求項３】
前記柄特徴検索部は、商品の第１の柄特徴に関する検索条件に基づいて前記商品絞り込み検索を行い、
前記第２の検索結果データ生成部は、前記第１の柄特徴とは異なる第２の柄特徴に基づいて前記第２の絞り込み検索結果に含まれる前記商品画像を整列させたデータを生成する請求項２に記載の商品検索装置。
【請求項４】
前記ユーザ端末の前記表示部に表示される検索条件が表現された代表画像を前記ユーザ端末に送信する代表画像送信部を備え、
前記検索条件受付部は、前記代表画像が選択されることにより前記選択された代表画像と関連する柄属性に関する検索条件又は柄特徴に関する検索条件を取得する請求項１から３のいずれか１項に記載の商品検索装置。
【請求項５】
前記第１の検索結果データ生成部は、前記柄特徴に基づいて前記第１の絞り込み検索結果に含まれる前記商品画像を１次元以上の座標軸に配列表示させたデータを生成し、
前記検索条件受付部は、前記配列表示させた前記商品画像が選択されることにより前記柄特徴に関する検索条件を取得する請求項２から４のいずれか１項に記載の商品検索装置。
【請求項６】
前記柄属性及び前記柄特徴が前記商品画像に関連付けられて記憶される商品データベースを備える請求項１から５のいずれか１項に記載の商品検索装置。
【請求項７】
前記柄属性は、ドット、ストライプ、ボーダ、チェック、及び無地のうち少なくとも一つを含む請求項１から６のいずれか１項に記載の商品検索装置。
【請求項８】
前記柄特徴は、柄サイズ及び柄密度のうち少なくとも１つを含む請求項１から７のいずれか１項に記載の商品検索装置。
【請求項９】
前記商品の色により前記商品の検索を行う商品色検索部、前記商品の形により前記商品の検索を行う商品形検索部、及び前記商品の質感により前記商品の検索を行う商品質感検索部のうち少なくとも１つをさらに備える請求項１から８のいずれか１項に記載の商品検索装置。
【請求項１０】
前記商品は、アパレル関係の商品である請求項１から９のいずれか１項に記載の商品検索装置。
【請求項１１】
ユーザ端末及びサーバがネットワークを介して接続され、商品の柄に基づいて商品群の中から前記商品を検索する商品検索システムであって、
前記ユーザ端末は、
表示部と、
前記サーバから送信されるデータに基づいて第１及び第２の絞り込み検索結果を前記表示部に表示させる表示制御部と、
商品の柄属性に関する検索条件及び商品の特徴に関する検索条件のユーザからの指示を受け付ける指示受付部と、を備え、
前記サーバは、
前記ユーザ端末から前記商品の柄属性に関する検索条件及び前記商品の柄特徴に関する検索条件を受け付ける検索条件受付部と、
前記検索条件受付部により受け付けた前記商品の柄属性に関する検索条件に基づいて商品絞り込み検索を行う柄属性検索部と、
前記検索条件受付部により受け付けた前記商品の柄特徴に関する検索条件に基づいて商品絞り込み検索を行う柄特徴検索部と、
前記柄属性検索部及び前記柄特徴検索部のうち一方により行われる第１の絞り込み検索の結果に基づいて、前記ユーザ端末の前記表示部に表示される商品画像を含む第１の絞り込み検索結果に関するデータを生成する第１の検索結果データ生成部と、
前記柄属性検索部及び前記柄特徴検索部のうち他方により行われ、前記第１の絞り込み検索の結果に対しての第２の絞り込み検索の結果に基づいて、前記ユーザ端末の前記表示部に表示される商品画像を含む第２の絞り込み検索結果に関するデータを生成する第２の検索結果データ生成部と、
前記第１の検索結果データ生成部により生成した前記第１の絞り込み検索結果に関するデータと前記第２の絞り込み検索結果に関するデータとを前記ユーザ端末に出力する検索結果出力部と、を備える商品検索システム。
【請求項１２】
ユーザ端末にネットワークを介して接続され、商品の柄に基づいて商品群の中から商品を検索する商品検索方法であって、
前記ユーザ端末から商品の柄属性に関する検索条件及び商品の柄特徴に関する検索条件を受け付ける検索条件受付ステップと、
前記検索条件受付ステップにより受け付けた前記商品の柄属性に関する検索条件に基づいて商品絞り込み検索を行う柄属性検索、及び、前記検索条件受付ステップにより受け付けた前記商品の柄特徴に関する検索条件に基づいて商品絞り込み検索を行う柄特徴検索のうち一方により第１の絞り込み検索が行われる第１の絞り込み検索ステップと、
第１の絞り込み検索の結果に基づいて、前記ユーザ端末の表示部に表示される商品画像を含む第１の絞り込み検索結果に関するデータを生成する第１の検索結果データ生成ステップと、
前記柄属性検索及び前記柄特徴検索のうち他方により、前記第１の絞り込み検索の結果に対して第２の絞り込み検索が行われる第２の絞り込み検索ステップと、
前記第２の絞り込み検索の結果に基づいて、前記ユーザ端末の前記表示部に表示される商品画像を含む第２の絞り込み検索結果に関するデータを生成する第２の検索結果データ生成ステップと、
前記第１の検索結果データ生成ステップにより生成した前記第１の絞り込み検索結果に関するデータと前記第２の絞り込み検索結果に関するデータとを前記ユーザ端末に出力する検索結果出力ステップと、
を含む商品検索方法。
【発明の詳細な説明】
【技術分野】
【０００１】
本発明は、商品検索装置、商品検索方法、及び商品検索システムに関し、特に商品の柄に基づいて絞り込み検索を行う技術に関する。
【背景技術】
【０００２】
近年、インターネット上における電子商取引（ＥＣ：Ｅｌｅｃｔｒｏｎｉｃ  Ｃｏｍｍｅｒｃｅ）サイト（ＥＣサイト)において服飾品等の商品を購入する消費者が増えている。それに伴いＥＣサイトに掲載される商品の数も大幅に増加しており、消費者（又はユーザ）が希望する商品を見つけ出すことが難しくなっている。
【０００３】
従来より、多数の商品で構成される商品群の中からユーザが所望の商品を見つけ出すための検索技術に関して提案されてきた。
【０００４】
例えば、特許文献１には、選択された類似画像をどのように修正すれば所望の画像になるかを感性語を使用して入力し、その入力された感性語に基づいて検索対象をシフトさせて、検索精度を向上させることを目的とする技術が記載されている。
【０００５】
また、特許文献２には、テキスタイルの検索において、シーズン、年度、経打込本数、及び偉打込本数のうち少なくとも１つを入力し、組織柄及び織り柄のうち少なくとも１つを選択することによって、テキスタイルの情報を検索する技術が記載されている。
【０００６】
また、特許文献３には、複数の商品を表示させてユーザに選択させ、ユーザにより選択された商品に近い商品をさらに複数表示することを繰り返す技術が記載されている。この技術は、ユーザが希望の商品を明確に特定していない場合であっても、商品の選択を繰り返していくうちに希望の商品の購入を可能とすることを目的とするものである。
【先行技術文献】
【特許文献】
【０００７】
【特許文献１】特開平０９−１１４８５３号公報
【特許文献２】特開平０６−２５１０８５号公報
【特許文献３】特開２００７−２４９３１９号公報
【発明の概要】
【発明が解決しようとする課題】
【０００８】
しかしながら、特許文献１から３には、商品の柄に基づき多段階で検索を行うことに関しては言及されていなく、特許文献１から３に記載の技術ではユーザが所望する柄を有する商品の検索を効率的且つ簡便に行うことができない。
【０００９】
本発明はこのような事情に鑑みてなされたもので、その目的は、多数の商品から構成される商品群の中からユーザが所望する柄を有する商品を効率的且つ簡便に検索することができる商品検索装置、商品検索方法、及び商品検索システムを提供することである。
【課題を解決するための手段】
【００１０】
本発明の一の態様である商品検索装置は、ユーザ端末にネットワークを介して接続され、商品の柄に基づいて商品群の中から商品を検索する商品検索装置であって、ユーザ端末から商品の柄属性に関する検索条件及び商品の柄特徴に関する検索条件を受け付ける検索条件受付部と、検索条件受付部により受け付けた商品の柄属性に関する検索条件に基づいて商品絞り込み検索を行う柄属性検索部と、検索条件受付部により受け付けた商品の柄特徴に関する検索条件に基づいて商品絞り込み検索を行う柄特徴検索部と、柄属性検索部及び柄特徴検索部のうち一方により行われる第１の絞り込み検索の結果に基づいて、ユーザ端末の表示部に表示される商品画像を含む第１の絞り込み検索結果に関するデータを生成する第１の検索結果データ生成部と、柄属性検索部及び柄特徴検索部のうち他方により行われ、第１の絞り込み検索の結果に対しての第２の絞り込み検索の結果に基づいて、ユーザ端末の表示部に表示される商品画像を含む第２の絞り込み検索結果に関するデータを生成する第２の検索結果データ生成部と、第１の検索結果データ生成部により生成した第１の絞り込み検索結果に関するデータと第２の絞り込み検索結果に関するデータとをユーザ端末に出力する検索結果出力部と、を備える。
【００１１】
本態様によれば、柄属性検索部及び柄特徴検索部のうち一方により第１の絞り込み検索が行われ且つ柄属性検索部及び柄特徴検索部のうち他方により第１の絞り込み検索の結果に対して第２の絞り込み検索が行われる。したがって、本態様は、第１の絞り込み検索の結果を確認した後に第２の絞り込み検索が行われる多段階での検索が行われるので、ユーザが所望する柄を有する商品を効率的及び簡便に検索することができる。
【００１２】
好ましくは、第１の絞り込み検索は、柄属性検索部により行われ、第２の絞り込み検索は、柄特徴検索部により行われる。
【００１３】
本態様によれば、第１の絞り込み検索は柄属性検索部により行われ、第２の絞り込み検索は柄特徴検索部により行われるので、同一の柄属性を有する商品を確認した後に柄特徴に関する検索条件を決定することができる。これにより、本態様は、より効率的及び簡便にユーザの所望する柄を有する商品を検索することができる。
【００１４】
好ましくは、柄特徴検索部は、商品の第１の柄特徴に関する検索条件に基づいて商品絞り込み検索を行い、第２の検索結果データ生成部は、第１の柄特徴とは異なる第２の柄特徴に基づいて第２の絞り込み検索結果に含まれる商品画像を整列させたデータを生成する。
【００１５】
本態様によれば、第２の絞り込み検索が商品の第１の柄特徴に関する検索条件に基づいて柄特徴検索部によって行われ、第２の絞り込み検索結果に含まれる商品画像が商品の第２の柄特徴に基づいて整列されたデータが生成される。これにより、本態様は、ユーザが所望する柄を有する商品を効率的に検索することができる。
【００１６】
好ましくは、商品検索装置は、ユーザ端末の表示部に表示される検索条件が表現された代表画像をユーザ端末に送信する代表画像送信部を備え、検索条件受付部は、代表画像が選択されることにより選択された代表画像と関連する柄属性に関する検索条件又は柄特徴に関する検索条件を取得する。
【００１７】
本態様によれば、検索条件が表現された代表画像が選択されることにより、柄属性に関する検索条件又は柄特徴に関する検索条件が取得されるので、ユーザが直感的に検索条件を入力することができる。
【００１８】
好ましくは、第１の検索結果データ生成部は、柄特徴に基づいて第１の絞り込み検索結果に含まれる商品画像を１次元以上の座標軸に配列表示させたデータを生成し、検索条件受付部は、配列表示させた商品画像が選択されることにより柄特徴に関する検索条件を取得する。
【００１９】
本態様によれば、第１の絞り込み検索結果に含まれる商品画像が１次元以上の座標軸に配列表示されるので、ユーザは検索条件を決め易く簡便に検索条件を入力することができる。
【００２０】
また、本態様によれば、１次元以上の座標軸に配列表示させた商品画像が選択されることにより、選択された商品画像に関連する条件が検索条件として取得されるので、ユーザが直感的に検索条件を入力することができる。
【００２１】
好ましくは、商品検索装置は、柄属性及び柄特徴が商品画像に関連付けられて記憶される商品データベースを備える。
【００２２】
本態様によれば、柄属性及び柄特徴が関連付けられた商品画像が記憶されている商品データベースが備えられているので、より効率的に迅速な検索を行うことができる。
【００２３】
好ましくは、柄属性は、ドット、ストライプ、ボーダ、チェック、及び無地のうち少なくとも一つを含む。
【００２４】
本態様によれば、柄属性がドット、ストライプ、ボーダ、チェック、及び無地のうち少なくとも一つを含むので、一般的な柄に関して効率的な検索を行うことができる。
【００２５】
好ましくは、柄特徴は、柄サイズ及び柄密度のうち少なくとも１つを含む。
【００２６】
本態様によれば、柄特徴が柄サイズ及び柄密度のうち少なくとも１つを含むので、より的確に柄の特徴に関しての検索を行うことができる。
【００２７】
好ましくは、商品検索装置は、商品の色により商品の検索を行う商品色検索部、商品の形により商品の検索を行う商品形検索部、及び商品の質感により商品の検索を行う商品質感検索部のうち少なくとも１つをさらに備える。
【００２８】
本態様によれば、商品の色により商品の検索を行う商品色検索部、商品の形により商品の検索を行う商品形検索部、及び商品の質感により商品の検索を行う商品質感検索部のうち少なくとも１つが備えられるので、ユーザが所望する商品をより正確に検索することができる。
【００２９】
好ましくは、商品は、アパレル関係の商品である。
【００３０】
本発明の他の態様である商品検索システムは、ユーザ端末及びサーバがネットワークを介して接続され、商品の柄に基づいて商品群の中から商品を検索する商品検索システムであって、ユーザ端末は、表示部と、サーバから送信されるデータに基づいて第１及び第２の絞り込み検索結果を表示部に表示させる表示制御部と、商品の柄属性に関する検索条件及び商品の特徴に関する検索条件のユーザからの指示を受け付ける指示受付部と、を備え、サーバは、ユーザ端末から商品の柄属性に関する検索条件及び商品の柄特徴に関する検索条件を受け付ける検索条件受付部と、検索条件受付部により受け付けた商品の柄属性に関する検索条件に基づいて商品絞り込み検索を行う柄属性検索部と、検索条件受付部により受け付けた商品の柄特徴に関する検索条件に基づいて商品絞り込み検索を行う柄特徴検索部と、柄属性検索部及び柄特徴検索部のうち一方により行われる第１の絞り込み検索の結果に基づいて、ユーザ端末の表示部に表示される商品画像を含む第１の絞り込み検索結果に関するデータを生成する第１の検索結果データ生成部と、柄属性検索部及び柄特徴検索部のうち他方により行われ、第１の絞り込み検索の結果に対しての第２の絞り込み検索の結果に基づいて、ユーザ端末の表示部に表示される商品画像を含む第２の絞り込み検索結果に関するデータを生成する第２の検索結果データ生成部と、第１の検索結果データ生成部により生成した第１の絞り込み検索結果に関するデータと第２の絞り込み検索結果に関するデータとをユーザ端末に出力する検索結果出力部と、を備える。
【００３１】
本発明の他の態様である商品検索方法は、ユーザ端末にネットワークを介して接続され、商品の柄に基づいて商品群の中から商品を検索する商品検索方法であって、ユーザ端末から商品の柄属性に関する検索条件及び商品の柄特徴に関する検索条件を受け付ける検索条件受付ステップと、検索条件受付ステップにより受け付けた商品の柄属性に関する検索条件に基づいて商品絞り込み検索を行う柄属性検索、及び、検索条件受付ステップにより受け付けた商品の柄特徴に関する検索条件に基づいて商品絞り込み検索を行う柄特徴検索のうち一方により第１の絞り込み検索が行われる第１の絞り込み検索ステップと、第１の絞り込み検索の結果に基づいて、ユーザ端末の表示部に表示される商品画像を含む第１の絞り込み検索結果に関するデータを生成する第１の検索結果データ生成ステップと、柄属性検索及び柄特徴検索のうち他方により、第１の絞り込み検索の結果に対して第２の絞り込み検索が行われる第２の絞り込み検索ステップと、第２の絞り込み検索の結果に基づいて、ユーザ端末の表示部に表示される商品画像を含む第２の絞り込み検索結果に関するデータを生成する第２の検索結果データ生成ステップと、第１の検索結果データ生成ステップにより生成した第１の絞り込み検索結果に関するデータと第２の絞り込み検索結果に関するデータとをユーザ端末に出力する検索結果出力ステップと、を含む。
【発明の効果】
【００３２】
本発明によれば、柄属性検索部及び柄特徴検索部のうち一方により第１の絞り込み検索が行われ且つ柄属性検索部及び柄特徴検索部のうち他方により第１の絞り込み検索の結果に対して第２の絞り込み検索が行われるので、第１の絞り込み検索の結果を確認した後に第２の絞り込み検索が行われる多段階での検索が行われ、ユーザが所望する柄を有する商品を効率的及び簡便に検索することができる。
【図面の簡単な説明】
【００３３】
【図１】図１は、クライアント・サーバシステムの概念図である。
【図２】図２は、ユーザ端末の機能構成例を示すブロック図である。
【図３】図３は、商品検索装置の機能構成例を示すブロック図である。
【図４】図４は、商品データベースに保存される商品に関するデータのデータ構造概念図である。
【図５】図５は、感性空間及び物理計測空間の関係を示す概念図である。
【図６】図６は、図４に示された商品の柄属性、柄サイズ、及び柄密度のデータのより詳細なデータ構造概念図である。
【図７】図７は、第１の絞り込み検索を行う場合の検索条件の入力画面の一表示形態を示す図である。
【図８】図８は、第１の絞り込み検索結果の一表示形態を示す図である。
【図９】図９は、第２の絞り込み検索の検索条件の入力画面の一表示形態を示す図である。
【図１０】図１０は、第２の絞り込み検索結果の一表示形態を示す図である。
【図１１】図１１は、商品検索装置及びユーザ端末の動作フロー図である。
【図１２】図１２は、商品検索装置の機能構成例を示すブロック図である。
【図１３】図１３は、第１の絞り込み検索の検索条件の入力画面の一表示形態を示す図である。
【図１４】図１４は、第２の絞り込み検索の検索条件の入力画面の一表示形態を示す図である。
【図１５】図１５は、第１の絞り込み検索結果の一表示形態を示す図である。
【発明を実施するための形態】
【００３４】
図面を参照して本発明の実施形態について説明する。以下の実施形態では服飾関係（アパレル関係）の商品である「衣服」を例について説明するが、検索の対象の商品は衣服には限定されず、他の任意の商品を検索の対象とする場合にも本発明を応用することが可能である。
【００３５】
図１は、本発明に係る商品検索装置１０を含むクライアント・サーバシステム（商品検索システム）１の概念図である。本実施形態に係るクライアント・サーバシステム１は、商品検索装置１０と、複数の一般消費者（ユーザ）のユーザ端末１１と、複数の電子商取引サイト（ＥＣサイト）ＥＣ０〜ＥＣｎとがインターネット等のネットワーク１２を介して接続されて構成される。
【００３６】
商品検索装置１０は、クライアント・サーバシステム１におけるサーバに相当し、ユーザ端末１１は、クライアント・サーバシステム１におけるクライアントに相当する。商品検索装置１０は、２以上の商品を適宜組み合わせた（コーディネートした）商品であるコーディネート商品をユーザに提案したり、ＥＣサイトＥＣ０〜ＥＣｎが取り扱っている商品をユーザに検索させるサービスを行い、ＥＣサイトＥＣ０〜ＥＣｎの事業者からサービスに対する報酬を受け取るアフィリエサイトとして機能する。
【００３７】
ユーザ端末１１は、ユーザが服飾品等の商品（コーディネート商品を含む）を検索する際に操作する端末であり、例えばスマートフォン、タブレットデバイス等のポータブル端末やパソコンなどの形態をとりうる。
【００３８】
ＥＣサイトＥＣ０〜ＥＣｎは、商品に関する情報（例えば、商品画像、ブランド、在庫、価格、サイズ、お勧め商品、及び購買情報等）を商品検索装置１０に提供したり、ユーザ端末１１から商品検索装置１０を経由してアクセスしたユーザに対して、又は商品検索装置１０を経由せずにアクセスしたユーザに対して、ＥＣサイトが取り扱っている商品に関する情報を提供する機能を備える。
【００３９】
次に、このクライアント・サーバシステム１において、ユーザ端末１１の機能構成について説明する。
【００４０】
図２は、ユーザ端末１１の機能構成の一例を示すブロック図である。本例のユーザ端末１１は、端末入力部（指示受付部）２０、端末通信部２３（端末送信部２１及び端末受信部２２）、表示制御部２４、表示部２５及び端末システムコントローラ２６を有する。
【００４１】
端末入力部２０は、ユーザＩＤ、パスワード及び検索ワード等のデータ類を入力するためにユーザによって直接的に操作される操作部と、操作部を介して入力されたデータ類を特定する情報特定部とを含む。例えばユーザ端末１１がスマートフォン等のポータブル端末の場合、ユーザ端末１１に設けられたボタン類やタッチパネルを操作部として利用することが可能である。ユーザは、操作部を介して任意の手法でデータ類を入力可能であり、データ類を直接的に入力してもよいし、表示部２５に表示される複数の候補の中から１以上の所望のデータ類を選択することで入力してもよい。
【００４２】
ユーザによって端末入力部２０の操作部を介して入力されたデータ類は、情報特定部によって特定されて端末送信部２１（端末通信部２３）に送信され、端末送信部２１から商品検索装置１０に送られる。一方、商品検索装置１０から送られてくる第１の絞り込み検索結果に関するデータ及び第２の絞り込み検索結果に関するデータ等は、端末受信部２２（端末通信部２３）によって受信され、表示制御部２４に送られる。
【００４３】
表示制御部２４は、端末受信部２２から送られてくる第１の絞り込み検索結果に関するデータ及び第２の絞り込み検索結果に関するデータに基づいて、第１の絞り込み検索結果及び第２の絞り込み検索結果を表示部２５に表示させる。例えば表示制御部２４は、第１の絞り込み検索結果に関するデータに含まれる商品画像又は第２の絞り込み検索結果に関するデータに含まれる商品画像を表示部２５に表示させる。この場合、表示制御部２４は、第１の絞り込み検索結果に関するデータ又は第２の絞り込み検索結果に関するデータに含まれている商品画像の配列（整列）に関する情報に基づいて、表示部２５に商品画像を表示させる。
【００４４】
端末システムコントローラ２６は、端末通信部２３（端末送信部２１及び端末受信部２２）、端末入力部２０及び表示制御部２４を制御して、上述の処理或いは他の処理を各部に実行させ、またユーザ端末１１の図示しない各部も制御する。例えば、端末システムコントローラ２６は、表示制御部２４に柄属性又は柄特徴の検索条件が表現された代表画像を表示部２５に表示させたり、表示制御部２４にユーザが検索条件を選択する場合のユーザーインターフェイスを表示部２５に表示させたりする。
【００４５】
［第１の実施形態］
次に、商品検索装置１０の機能構成について説明する。図３は、商品検索装置１０の第１の実施形態の機能構成例を示すブロック図である。
【００４６】
図３に示すように、商品検索装置１０は、主として通信部３３（受信部３２及び送信部３４）、検索条件受付部４２、検索部４６（検索制御部４８、柄属性検索部５０、柄特徴検索部５２、及び代表画像送信部７９）、商品データベース（商品ＤＢ）５４、及び検索結果データ生成部５６（第１の検索結果データ生成部５８及び第２の検索結果データ生成部６０）、及び検索結果出力部６１を備える。
【００４７】
通信部３３は、受信部３２によりユーザ端末１１から送られてくる情報を受信し、送信部３４によりユーザ端末１１に情報を送信する。例えば通信部３３は、受信部３２によりユーザ端末１１から送られてくる商品の柄属性に関する検索条件及び商品の柄特徴に関する検索条件を受信し、検索条件受付部４２に送信する。また、例えば通信部３３は、送信部３４を介して検索結果出力部６１が出力する第１の絞り込み検索結果に関するデータ及び第２の絞り込み検索結果に関するデータをユーザ端末１１に送信する。
【００４８】
検索条件受付部４２は、受信部３２を介してユーザ端末１１から送られてきた検索条件を受け付ける。例えば検索条件受付部４２は、商品の柄属性に関する検索条件及び商品の柄特徴に関する検索条件を受け付ける。ここで、「商品の柄属性」とは、商品が有する柄を定性的に表現したものであり、柄の名前や柄を特定する品番等のことである。商品の柄属性の具体例としては、ドット、ストライプ（縦ストライプ）、ボーダ（横ストライプ）、チェック、及び無地があげられる。さらに、商品の柄属性の具体例としては、花柄、チドリ柄等があげられ、商品の柄属性としては一般的に使用されている柄の名前及び特定の団体内で使用されている柄の名前も含まれる。また、「商品の柄属性に関する検索条件」とは、前述した商品の柄属性によって商品群に対して絞り込み検索を行うための条件であり、例えば前述の柄の名前があげられる。また、商品の柄属性に関する検索条件は、代表的な柄属性に属さない少数の柄属性の集まりを「その他」として含む。すなわち、商品の柄属性に関する検索条件として「その他」を受信すると、代表的な柄属性に属さない柄を有する商品が検索されることになる。
【００４９】
また、「商品の柄特徴」とは、商品が有する柄を定量的に測定した結果に基づいて表現したものであり、例えば柄のサイズ（大きさ）又は柄の密度である。なお、商品の柄特徴は、柄サイズ及び柄密度に限定されず、商品が有する柄を定量的に測定した結果に基づいて表現されたものであればよい。また、「商品の柄特徴に関する検索条件」とは、前述した商品の柄特徴によって商品群に対して絞り込み検索を行うための条件であり、例えば柄サイズの大きさや柄密度の高さなどである。
【００５０】
検索部４６は、検索制御部４８、柄属性検索部５０、柄特徴検索部５２、代表画像送信部７９を備える。検索部４６は、検索条件受付部４２で受け付けた検索条件に基づいて、商品データベース５４に記憶されている商品の検索を行う。
【００５１】
検索制御部４８は、検索条件受付部４２が受け付けた検索条件に基づいて、検索を制御する。例えば、検索条件受付部４２から商品の柄属性に関する検索条件を受信した場合には柄属性検索部５０により検索を行わせ、検索条件受付部４２から商品の柄特徴に関する検索条件を受信した場合には柄特徴検索部５２により検索を行わせる。
【００５２】
また、検索制御部４８は、第１の絞り込み検索及び第２の絞り込み検索の制御を行う。すなわち、検索制御部４８は、柄属性検索部５０又は柄特徴検索部５２により第１の絞り込み検索を実行させるように制御し、柄属性検索部５０又は柄特徴検索部５２により第２の絞り込み検索を実行させるように制御する。例えば、検索制御部４８は、第１の絞り込み検索を柄属性検索部５０に行わせ、第２の絞り込み検索は柄特徴検索部５２により行わせる。これにより、先ず柄属性により商品群が絞り込まれてその後に柄特徴によりさらに商品群が絞り込まれるので、ユーザの所望する柄を有する商品をより効率的に検索することができる。
【００５３】
柄属性検索部５０は、検索条件受付部４２により受け付けた商品の柄属性に関する検索条件に基づいて、商品データベース５４に記憶されている商品群に対して絞り込み検索を行う。例えば、商品の柄属性に関する検索条件が「ボーダ」の場合、柄属性検索部５０は、商品データベース５４に記憶されている商品群又は第１の絞り込み検索で得られた商品群の中で「ボーダ」の柄属性を有する商品のみに商品群を絞り込む。
【００５４】
柄特徴検索部５２は、検索条件受付部４２により受け付けた商品の柄特徴に関する検索条件に基づいて、商品データベース５４に記憶されている商品群に対して絞り込み検索を行う。例えば、商品の柄特徴に関する検索条件が柄サイズ「大」の場合、柄特徴検索部５２は、商品データベース５４に記憶されている商品群又は第１の絞り込み検索で得られた商品群の中で「大」の柄サイズの柄特徴を有する商品のみに商品群を絞り込む。
【００５５】
代表画像送信部７９は、検索制御部４８に制御されてユーザ端末１１の表示部２５に表示される検索条件が表現された代表画像を送信する。ここで、代表画像とは、検索条件がイラスト（コンピュータグラフィック）、文字、及び実画像等で表現された画像のことであり、サンプル画像やサムネイル画像とも呼ばれる。
【００５６】
代表画像はユーザ端末１１の表示部２５に表示され、ユーザによって選択された代表画像に関連する検索条件が検索条件受付部４２に受け付けられる。検索制御部４８は、ユーザ端末１１から送信される代表画像の要求を受信した場合に代表画像をユーザ端末１１に送信する。
【００５７】
商品データベース５４には、商品の商品画像が柄属性及び柄特徴が商品画像に関連付けられて記憶される。すなわち、商品データベース５４には、商品検索装置１０で検索可能な商品の商品画像が記憶され且つその商品画像とその商品の柄属性及び柄特徴に関する情報が関連付けられて記憶される。また、商品データベース５４には、商品に関するその他の情報も関連付けられて記憶されてもよい。なお、商品データベース５４に関しての詳しい説明は後述する。
【００５８】
検索結果データ生成部５６は、第１の検索結果データ生成部５８及び第２の検索結果データ生成部６０を備え、検索部４６から受信した絞り込み検索の結果に基づいて絞り込み検索結果に関するデータを生成する。
【００５９】
第１の検索結果データ生成部５８は、柄属性検索部５０及び柄特徴検索部５２のうち一方により行われる第１の絞り込み検索の結果に基づいて、ユーザ端末１１の表示部２５に表示される商品画像を含む第１の絞り込み検索結果に関するデータを生成する。例えば、第１の絞り込み検索が柄属性検索部５０で行われた場合には、第１の検索結果データ生成部５８は、検索部４６の柄属性検索部５０の検索結果（絞り込まれた商品群）に関する情報を受信し、商品画像又は商品画像とその商品画像の配列（整列）順序に関する情報を有する第１の検索結果データを生成する。
【００６０】
第２の検索結果データ生成部６０は、第１の検索結果データ生成部５８と同様に、ユーザ端末１１の表示部２５に表示される商品画像を含む第２の絞り込み検索結果に関するデータを生成する。なお、第２の絞り込み検索は、第１の絞り込み検索で使用されなかった柄属性検索部５０又は柄特徴検索部５２により行われ、第１の絞り込み検索の結果に対して行われる。例えば、第２の絞り込み検索が柄特徴検索部５２で行われた場合には、第２の検索結果データ生成部６０は、検索部４６の柄特徴検索部５２の検索結果に関する情報を受信し、商品画像又は商品画像とその商品画像の配列（整列）順序に関する情報を有する第２の検索結果データを生成する。
【００６１】
検索結果出力部６１は、検索結果データ生成部５６から第１の絞り込み検索結果に関するデータ又は第２の絞り込み検索結果に関するデータを受信する。そして、検索結果出力部６１は、受信した第１の絞り込み検索結果に関するデータ又は第２の絞り込み検索結果に関するデータを通信部３３の送信部３４を介してユーザ端末１１に送信する。
【００６２】
次に、商品データベース５４について、図４、図５、及び図６を参照しながら説明をする。
【００６３】
図４は、商品データベース５４に保存される商品に関するデータのデータ構造概念図である。商品データベース５４には、商品検索装置１０で検索可能な商品に関する情報がその商品画像と共に記憶されている。商品データベース５４に記憶される商品に関するデータ（情報）は、単数又は複数のＥＣサイトから取得されてもよい。商品データベース５４が複数のＥＣサイトから商品に関するデータを取得すると、ＥＣサイト間を横断した商品検索をユーザに提供できる。
【００６４】
図４に示すように、商品データベース５４には商品情報として、「商品ＩＤ」、「カテゴリ」、「商品画像」、「デザイン特徴量」、「ＥＣサイト」、「ブランド」、「在庫」、「サイズ」、及び「価格」に関する情報が登録されている。ここで、「商品ＩＤ」は各商品に対して固有の識別情報であり、同じ商品であっても提供元（サプライヤ、ＥＣサイト、販売店）が異なれば異なる商品ＩＤが付与されてもよい。したがって、商品ＩＤにより、商品がどこの提供元から提供されているかを認識することができる場合もある。
【００６５】
「カテゴリ」とは商品のカテゴリであり、カテゴリの例として、トップス、パンツ（ボトムス）、帽子、靴等があり、他の商品と組み合わせる（コーディネートする）際に有用な情報となる。「商品画像」は、商品が撮影された画像のデータである。
【００６６】
「デザイン特徴量」は、例えば、商品画像の物理量（商品の色に関する情報、商品の柄に関する情報、商品の形に関する情報、及び商品の質感に関する情報）及び物理量と関連付けられた感性語を有する。商品画像を画像解析して得られる「色」に関する情報はＨ（色相）、Ｓ（彩度）、及びＶ（明度）やＲＧＢ（赤、緑、青）によって表される。
【００６７】
「柄」に関するデザイン特徴量は、商品が有する柄に関して柄属性及び柄特徴（柄サイズ及び柄密度）である。
【００６８】
「形」に関する情報とは、商品の特徴的な形又は商品を識別することが可能となる形に関する情報のことである。形に関する情報は、例えば、襟の形状や、細身、又はゆったり等の情報である。「質感」に関する情報は、例えば光沢度や透け度等であり、商品画像を画像解析することによって得られる情報である。
【００６９】
図５は、感性空間４０及び物理計測空間４１の関係を示す概念図である。物理計測空間４１から感性空間４０への変換は変換テーブルＴによって行われる。すなわち、変換テーブルＴは、感性空間４０における領域（以下「感性領域４４」と表記する）に対応する物理計測空間４１における領域（以下「物理量領域４３」と表記する）を規定する。図５に示すように、感性空間４０において感性語毎に割り当てられる感性領域４４があり、各感性領域４４に関し、物理計測空間４１において対応する物理量領域４３がある。図５に示す例では、ある感性語が感性領域４４ａを占める場合、色のデザイン特徴量、柄のデザイン特徴量及び質感のデザイン特徴量に関する物理計測空間４１における特定の物理量領域４３がその感性領域４４ａに対応付けられている（図５の斜線部参照）。
【００７０】
変換テーブルＴは、この感性空間４０において表される感性領域４４と、物理計測空間４１において表される物理量領域４３との関連付けを規定するものであり、感性空間４０上のデータを物理計測空間４１上のデータに変換するために使用される。
【００７１】
尚、図５に示す例では、「ＲＧＢ（赤緑青）データによって規定される色特徴量」、「柄密度及び柄サイズによって規定される柄特徴量」及び「光沢度及び透け度によって規定される質感特徴量」が物理計測空間４１における物理量領域４３を定める基準として用いられているが、これらに限定されない。
【００７２】
上述したように商品画像の物理量に関連付けられた感性語に関する情報が商品データベース５４には登録されている。すなわち、商品データベース５４には、商品画像から画像解析によって得られる物理量から、変換テーブルＴを使用して求められる感性語が商品毎に登録されている。
【００７３】
図６は、図４に示された商品に関するデータにおいて柄属性及び柄特徴（柄サイズ及び柄密度）のデータをより詳細に示したデータ構造概念図である。商品ＩＤ「ＡＡＡ…」の商品は、柄に関してのデザイン特徴量として、柄属性が「ボーダ」、柄サイズが「中」、柄密度が「高」を有している。商品ＩＤ「ＢＢＢ…」の商品は、柄に関してのデザイン特徴量として、柄属性が「ドット」、柄サイズが「小」、柄密度が「高」を有している。商品ＩＤ「ＣＣＣ…」の商品は、柄に関してのデザイン特徴量として、柄属性が「ボーダ」、柄サイズが「小」、柄密度が「低」を有している。このように、商品データベース５４には、商品に関連して柄属性及び柄特徴の情報が保存される。
【００７４】
次に、ユーザ端末１１の表示制御部２４が表示部２５にて行う表示の表示形態に関して説明する。
【００７５】
図７は、第１の絞り込み検索を行う場合であって、検索条件の入力画面の一表示形態を示す図である。図７に示す場合では、ユーザ端末１１の表示部２５に柄属性に関する検索条件を入力するための代表画像（符号６２、符号６４、符号６６、符号６８、及び符号７０）が表示されている。そして、ユーザにより代表画像が選択され、柄属性に関する検索条件が端末入力部２０を介して入力される。その後、柄属性に関する検索条件は、端末送信部２１を介して商品検索装置１０に送信される。具体的には、柄属性の検索条件を選択する場合には、ドットの代表画像６２、ボーダの代表画像６４、縦ストライプの代表画像６６、チェックの代表画像６８、及び無地の代表画像７０が表示部２５に表示され、ユーザによっていずれかの代表画像が選択される。そして、検索実行指示受付部７２により検索実行の指示を受け付ける。
【００７６】
例えば、ボーダに関する代表画像６６がユーザのタッチにより選択されることにより、柄属性に関する件条件として「ボーダ」が商品検索装置１０に送信される。なお、代表画像は、商品検索装置１０の代表画像送信部７９からユーザ端末１１に送信された後に、表示制御部２４により表示部２５に表示される。また、代表画像はユーザ端末１１に備える記憶部（図示せず）に記憶されていてもよい。
【００７７】
図８は、第１の絞り込み検索結果の一表示形態を示す図である。図８には、第１の絞り込み検索結果として、商品群が「ボーダ」柄属性を有する商品に絞り込まれた結果が表示されている。具体的には、表示部２７に、絞り込み検索により絞り込まれた商品点数７６及び絞り込み検索により絞り込まれた商品の商品画像（符号７８、符号８０、符号８２、符号８４）が整列表示されている。このように、商品画像７８、商品画像８０、商品画像８２、及び商品画像８４を一覧表示させることにより、ユーザは、検索結果を正確に且つ簡便に確認することができる。なお、図８では第１の絞り込み検索の結果の一部の商品画像が表示されており画面がスクロールされることにより他の商品画像が表示される。
【００７８】
また、図８に示すように、第１の絞り込み検索結果を表示する場合に、第２の絞り込み検索の実行指示の受付部７４を設けてもよい。ユーザは第１の絞り込み検索結果を見て、さらに絞り込み検索が必要と判断した場合には、第２の絞り込み検索の実行指示の受付部７４より検索実行を指示する。なお、図７で示した無地の代表画像７０や上述した「その他」の柄属性が選択された場合には、第２の絞り込み検索が行われない場合がある。
【００７９】
図９は、第２の絞り込み検索を行う場合であって、検索条件の入力画面の一表示形態を示す図である。図９に示す場合では、ユーザ端末１１の表示部２５に柄特徴に関する検索条件を入力するための代表画像（符号８６、符号８８、及び符号９０）が表示されている。代表画像８６、代表画像８８、及び代表画像９０は柄サイズに関しての代表画像であり、柄サイズが「大」の代表画像８６、柄サイズが「中」の代表画像８８、及び柄サイズが「小」の代表画像９０が表示部２５に表示されている。いずれかの代表画像が選択されることにより、選択された代表画像に関する柄サイズの検索条件が商品検索装置１０の検索条件受付部４２に送信される。そして、検索実行指示受付部７２により検索実行の指示を受け付ける。
【００８０】
図１０は、第２の絞り込み検索結果を表示する場合の一表示形態を示す図である。図１０では、第２の絞り込み検索の検索条件として、図９に示した代表画像９０（柄サイズ「小」が選択された場合を示している。すなわち、第１の絞り込み検索の結果である商品群に対して、柄サイズが「小」である商品のみを抽出するように絞り込み検索を行った結果が示されている。また、図１０で示す場合では、第２の絞り込み検索結果が柄密度に応じて整列表示されている。すなわち、図１０に示すように、柄密度「高」の商品の商品画像９２、柄密度「中」の商品の商品画像９４、及び柄密度「低」の商品画像９６が柄密度に応じて配列表示される。この場合、商品検索装置１０の第２の検索結果データ生成部６０は、第１の柄特徴（柄サイズ）とは異なる第２の柄特徴（柄密度）に基づいて第２の絞り込み検索結果に含まれる商品画像を整列させたデータを生成する。
【００８１】
これにより、ユーザが正確に且つ簡便に第２の絞り込み検索の結果を確認することができる。また、第２の絞り込み検索により絞り込まれた商品点数９８が表示されている。
【００８２】
図１１は、商品検索装置１０及びユーザ端末１１の動作フロー図である。
【００８３】
先ず、ユーザ端末１１の表示部２５に各柄属性が表示された代表画像が表示される（ステップＳ１０）。そして、ユーザは表示部２５に表示された代表画像において、所望の柄属性が表現された代表画像を選択する（ステップＳ１１）。その後、選択された代表画像に関する検索条件が、ユーザ端末１１の端末通信部２３及び商品検索装置１０の通信部３３を介して、商品検索装置１０の検索条件受付部４２に送信される（ステップＳ１２）。
【００８４】
商品検索装置１０の検索条件受付部４２は、送信された検索条件を受信する（ステップＳ１３）（検索条件受付ステップ）。そして、検索条件受付部４２は、検索部４６に検索条件を送信する。その後、検索部４６は、受信した検索条件に基づいて第１の絞り込み検索を行い（ステップＳ１４）（第１の絞り込み検索ステップ）、第１の絞り込み検索の結果を検索結果データ生成部５６に送信する。検索結果データ生成部５６の第１の検索結果データ生成部５８は、第１の絞り込み検索の結果に基づいて、商品画像を含む第１の絞り込み検索結果に関するデータを生成する（ステップＳ１５）（第１の検索結果データ生成ステップ）。そして、生成された第１の絞り込み検索結果に関するデータは、ユーザ端末１１の端末通信部２３及び商品検索装置１０の通信部３３を介して、ユーザ端末１１に送信される。
【００８５】
ユーザ端末１１の表示制御部２４は、第１の絞り込み検索結果に関するデータを受信し、表示部２５に第１の絞り込み検索の結果を表示させる（ステップＳ１６）。その後、第２の絞り込み検索のための検索条件を表示した代表画像が表示制御部２４により表示部２５に表示される（ステップＳ１７）。その後、第２の絞り込み検索のための検索条件を表示した代表画像が選択され（ステップＳ１８）、選択された代表画像に関連する検索条件が、ユーザ端末１１の端末通信部２３及び商品検索装置１０の通信部３３を介して、商品検索装置１０の検索条件受付部４２に送信される（ステップＳ１９）。
【００８６】
商品検索装置１０の検索条件受付部４２は、送信された検索条件を受信する（ステップＳ２０）。そして、検索条件受付部４２は、検索部４６に検索条件を送信する。その後、検索部４６は、受信した検索条件に基づいて、第２の絞り込み検索を行い（ステップＳ２１）（第２の絞り込み検索ステップ）、第２の絞り込み検索の結果を検索結果データ生成部５６に送信する。検索結果データ生成部５６の第２の検索結果データ生成部６０は、第２の絞り込み検索の結果に基づいて、商品画像を含む第２の絞り込み検索結果に関するデータを生成する（ステップＳ２２）（第２の検索結果データ生成ステップ）。そして、生成された第２の絞り込み検索結果に関するデータは、ユーザ端末１１の端末通信部２３及び商品検索装置１０の通信部３３を介して、ユーザ端末１１に送信される（検索結果出力ステップ）。
【００８７】
その後、ユーザ端末１１の表示制御部２４は、第２の絞り込み検索結果に関するデータを受信し、表示部２５に第２の絞り込み検索の結果を表示させる（ステップＳ２３）。
【００８８】
以上で説明したように、本発明の第１の実施形態によれば、柄属性検索部５０及び柄特徴検索部５２のうち一方により第１の絞り込み検索が行われ且つ柄属性検索部５０及び柄特徴検索部５２のうち他方により第１の絞り込み検索の結果に対して第２の絞り込み検索が行われる。したがって、本実施形態は、第１の絞り込み検索の結果を見た後に第２の絞り込み検索が行われる多段階での検索が行われるので、ユーザが所望する柄を有する商品を効率的及び簡便に検索することができる。
【００８９】
［第２の実施形態］
次に、本発明の第２の実施形態に関して説明する。本発明の第２の実施形態は、柄属性検索及び柄特徴検索に加えて、商品の色の検索、商品の形の検索、商品の質感の検索を行う機能を備える。これにより、本発明の第２の実施形態はより正確な商品検索を行うことができる。
【００９０】
図１２は、商品検索装置１０の第２の実施形態の機能構成例を示すブロック図である。なお、図３で説明を行った箇所に関しては、同じ符号を付し説明は省略する。
【００９１】
検索部４６は、検索制御部４８、柄属性検索部５０、柄特徴検索部５２、商品色検索部１１０、商品形検索部１１２、商品質感検索部１１４、及び代表画像送信部７８を備える。
【００９２】
検索制御部４８は、検索条件受付部４２で受け付けた検索条件に基づいて、柄属性検索部５０、柄特徴検索部５２、商品色検索部１１０、商品形検索部１１２、及び商品質感検索部１１４のうち少なくとも１つに第１の絞り込み検索又は第２の絞り込み検索を行わせる。すなわち、検索制御部４８は、検索条件の内容に基づいてどの検索部に絞り込み検索を行わせるべきかを判断し絞り込み検索を実行させる。
【００９３】
商品色検索部１１０は、商品の色により商品の検索を行う。例えば、検索条件受付部４２がＨ（色相）、Ｓ（彩度）、及びＶ（明度）のある値を検索条件として受け付けて検索部４６に送信した場合には、検索制御部４８は商品色検索部１１０に商品の色による商品の検索を行わせる。
【００９４】
商品形検索部１１２は、商品の形により商品の検索を行う。ここで、商品の形とは、商品の形を表す全てのもの意味する。例えば商品の形とは、襟の形状（Ｖネック及び丸首など）半袖、長袖、長ズボン、半ズボン、細身、太身、及び幅広等で表される商品の形状のことである。検索条件受付部４２が商品の形に関する検索条件を受け付けて検索部４６に送信した場合には、検索制御部４８は商品形検索部１１２に商品の形による商品の検索を行わせる。
【００９５】
商品質感検索部１１４は、商品の質感により商品の検索を行う。例えば、検索条件受付部４２が光沢度や透け度を検索条件として受け付けて検索部４６に送信した場合には、検索制御部４８は商品質感検索部１１４に商品の質感による商品の検索を行わせる。
【００９６】
以上で説明したように、本発明の第２の実施形態によれば、商品の色により商品の検索を行う商品色検索、商品の形により商品の検索を行う商品形検索、及び商品の質感により商品の検索を行う商品質感検索のうち少なくとも１つの検索が、柄属性検索及び柄特徴検索に加えて行われるので、より正確にユーザが所望する商品を検索することができる。
【００９７】
［第３の実施形態］
次に、本発明の第３の実施形態に関して説明する。本発明の第３の実施形態は、第１の絞り込み検索又は第２の絞り込み検索を行う場合の検索条件の入力画面において、複数の検索条件を入力することができる。これにより、ユーザは簡易に複数の検索条件を入力することが可能となる。
【００９８】
図１３は、第１の絞り込み検索を行う場合に複数の検索条件を入力することが可能な入力画面の一表示形態を示す図である。
【００９９】
図１３に示すように、商品のコーディネートのカテゴリの選択に関しての入力部２００、商品の価格に関しての入力部２０２、商品の色に関しての入力部２０４、商品の柄属性に関しての入力部２０５を備えていてもよい。
【０１００】
図１４は、第２の絞り込み検索を行う場合に複数の検索条件を入力することが可能な入力画面の一表示形態を示す図である。
【０１０１】
図１４に示すように、商品のコーディネートのカテゴリの選択に関しての入力部２０６、商品の価格に関しての入力部２０８、商品の色に関しての入力部２１０、商品の柄特徴の選択に関しての入力部２９０、及び感性語の選択に関しての入力部２１２を備えてもよい。
【０１０２】
［第４の実施形態］
次に、本発明の第４実施形態に関して説明する。本発明の第４の実施形態は、第１の絞り込み検索の結果が、ユーザ端末１１の表示部２５に１次元以上の座標軸に配列表示される。すなわち、商品検索装置１０の第１の検索結果データ生成部５８は、柄特徴に基づいて第１の絞り込み検索結果に含まれる商品画像を１次元以上の座標軸に配列表示させたデータを生成し、検索条件受付部４２は、配列表示させた商品画像が選択されることにより柄特徴に関する検索条件を取得する。
【０１０３】
図１５は、ユーザ端末１１の表示部２５に表示される第１の絞り込み検索結果の一表示形態を示す図である。図１５に示す例では、ボーダの柄属性を有する商品に第１の絞り込み検索が行われ、その第１の絞り込み検索の結果が縦軸が柄密度及び横軸が柄サイズを示すグラフに配列させている。すなわち、商品検索装置１０の第１の検索結果データ生成部５８は、柄特徴に基づいて前記第１の絞り込み検索結果に含まれる前記商品画像を１次元以上の座標軸に配列表示させたデータを生成する。
【０１０４】
さらに、第２の検索条件を入力する場合には、配列された商品画像を選択することにより、選択された商品画像に関連する柄特徴が第２の検索条件として取得されてもよい。例えば、図１５のように示された商品画像の中から、「大」の柄サイズ及び「高」の柄密度の柄特徴を有する商品画像が選択されると、第２の絞り込み検索を行う柄特徴検索部５２は、「大」の柄サイズ及び「高」の柄密度の柄特徴を有する商品に絞り込みを行う。なお、図１５に示す場合では、商品画像を配列させたがこれに限定されるものではない。例えば、商品画像の代わりに、商品をコンピュータグラフィックで描いた画像を配列させてもよい。
【０１０５】
以上で説明したように、本実施形態によれば、第１の絞り込み検索結果に含まれる商品画像が１次元以上の座標軸に配列表示されるので、よりユーザが把握し易いように第１の絞り込み検索結果が表示される。また、本態様によれば、１次元以上の座標軸に配列表示させた商品画像が選択されることにより第１の柄特徴に関する検索条件が取得されるので、ユーザが直感的に検索条件を入力することができる。
【０１０６】
以上で本発明の例に関して説明してきたが、本発明は上述した実施の形態に限定されず、本発明の精神を逸脱しない範囲で種々の変形が可能であることは言うまでもない。
【符号の説明】
【０１０７】
１…サーバシステム、１０…商品検索装置、１１…ユーザ端末、１２…ネットワーク、２０…端末入力部、２１…端末送信部、２２…端末受信部、２３…端末通信部、２４…表示制御部、２５…表示部、２６…端末システムコントローラ、３２…受信部、３３…通信部、３４…送信部、４２…検索条件受付部、４６…検索部、４８…検索制御部、５０…柄属性検索部、５２…柄特徴検索部、５４…商品データベース、５６…検索結果データ生成部、５８…第１の検索結果データ生成部、６０…第２の検索結果データ生成部、６１…検索結果出力部、７９…代表画像送信部
【図１】
2016091522.tif 000003
【図２】
2016091522.tif 000004
【図３】
2016091522.tif 000005
【図４】
2016091522.tif 000006
【図５】
2016091522.tif 000007
【図６】
2016091522.tif 000008
【図８】
2016091522.tif 000009
【図９】
2016091522.tif 000010
【図１０】
2016091522.tif 000011
【図１１】
2016091522.tif 000012
【図１２】
2016091522.tif 000013
【図１５】
2016091522.tif 000014
【図７】
2016091522.tif 000015
【図１３】
2016091522.tif 000016
【図１４】
2016091522.tif 000017